(57)【要約】【課題】  本発明は大電流用コネクタの挿抜治具に係り、大電流用コネクタの抜き／差しを容易にした大電流用コネクタの挿抜治具を提供することを目的とする。【解決手段】  固定用穴が形成された抜き／差しする一対の大電流用コネクタが天板上に配置可能な基台と、基台に固着され、天板上の一方の大電流用コネクタの固定用穴に挿入可能な固定ピンと、基台に支点を中心に回動自在に取り付き、大電流用コネクタの抜き／差し方向へ回動操作可能な操作レバーと、天板に設けた挿通孔を挿通して操作レバーに固着され、天板上の他方の大電流用コネクタの固定用穴に挿入可能な可動ピンとを備え、天板上に配置された係合状態にある大電流用コネクタの固定用穴に固定ピンと可動ピンを挿入し、操作レバーの前記抜き方向への回動操作で大電流用コネクタの係合を解除し、天板上に配置された非係合状態にある大電流用コネクタの固定用穴に前記固定ピンと可動ピンを挿入し、操作レバーの前記差し方向への操作で両大電流用コネクタを係合させる。【選択図】    図１
2010108812.tif 000002
【特許請求の範囲】
【請求項１】
固定用穴が形成された抜き／差しする一対の大電流用コネクタが天板上に配置可能な基台と、
前記基台に固着され、天板上の一方の大電流用コネクタの固定用穴に挿入可能な固定ピンと、
前記基台に支点を中心に回動自在に取り付き、前記大電流用コネクタの抜き／差し方向へ回動操作可能な操作レバーと、
前記天板に設けた挿通孔を挿通して前記操作レバーに固着され、天板上の他方の大電流用コネクタの固定用穴に挿入可能な可動ピンとを備え、
天板上に配置された係合状態にある大電流用コネクタの固定用穴に前記固定ピンと可動ピンを挿入し、操作レバーの前記抜き方向への回動操作で大電流用コネクタの係合を解除し、
天板上に配置された非係合状態にある大電流用コネクタの固定用穴に前記固定ピンと可動ピンを挿入し、操作レバーの前記差し方向への操作で両大電流用コネクタを係合させることを特徴とする大電流用コネクタの挿抜治具。
【請求項２】
前記操作レバーは、基台に設けたストッパにバネで付勢され、前記固定ピンと可動ピンが、基台上に配置された係合状態にある大電流用コネクタの固定用穴に挿入可能であることを特徴とする請求項１に記載の大電流用コネクタの挿抜治具。
【請求項３】
前記固定ピンと可動ピンが、両大電流用コネクタに夫々形成された複数の固定用穴に対応して２本宛装着されていることを特徴とする請求項１または請求項２に記載の大電流用コネクタの挿抜治具。
【請求項４】
前記天板上に、抜き／差しする大電流用コネクタを案内するガイド部材を設けたことを特徴とする請求項１または請求項２に記載の大電流用コネクタの挿抜治具。
【発明の詳細な説明】
【技術分野】
【０００１】
本発明は、大電流用コネクタの抜き差しに用いる大電流用コネクタの挿抜治具に関する。
【背景技術】
【０００２】
電気部品やシステムの間を電気的に接続し、また、この電気的な接続を切断する部材として、非特許文献１に開示されるように、今日、様々なコネクタが使用されている。
【０００３】
そして、従来、この種のコネクタの中で特に大電流用コネクタは、導通性確保の見地からコネクタの抜き／差しに非常に大きな挿抜力が必要とされ、また、オス−メス夫々のコネクタのカバーに固定用穴（ねじ穴）を設け、両コネクタの係合（接続）後、固定用穴を利用して両コネクタを固定板にねじ止めして導通性を確保している。
【非特許文献１】「コネクタ」 http://ja.wikipedia.org/wiki/%E3%82%B3%E3%83%8D%E3%82%AF%E3%82%BF 検索日平成２０年１０月６日
【発明の開示】
【発明が解決しようとする課題】
【０００４】
しかし乍ら、既述したように大電流用コネクタは、抜き／差しに非常に大きな挿抜力が必要となっているため作業性が悪く、大電流用コネクタの抜き／差し時の作業性の改善が望まれていた。
【０００５】
本発明は斯かる実情に鑑み案出されたもので、大電流用コネクタの抜き／差しを容易にした大電流用コネクタの挿抜治具を提供することを目的とする。
【課題を解決するための手段】
【０００６】
斯かる目的を達成するため、請求項１に係る大電流用コネクタの挿抜治具は、固定用穴が形成された抜き／差しする一対の大電流用コネクタが天板上に配置可能な基台と、前記基台に固着され、天板上の一方の大電流用コネクタの固定用穴に挿入可能な固定ピンと、前記基台に支点を中心に回動自在に取り付き、前記大電流用コネクタの抜き／差し方向へ回動操作可能な操作レバーと、前記天板に設けた挿通孔を挿通して前記操作レバーに固着され、天板上の他方の大電流用コネクタの固定用穴に挿入可能な可動ピンとを備え、天板上に配置された係合状態にある大電流用コネクタの固定用穴に前記固定ピンと可動ピンを挿入し、操作レバーの前記抜き方向への回動操作で大電流用コネクタの係合を解除し、天板上に配置された非係合状態にある大電流用コネクタの固定用穴に前記固定ピンと可動ピンを挿入し、操作レバーの前記差し方向への操作で両大電流用コネクタを係合させることを特徴とする。
【０００７】
そして、請求項２に係る発明は、請求項１に記載の大電流用コネクタの挿抜治具に於て、前記操作レバーは、基台に設けたストッパにバネで付勢され、前記固定ピンと可動ピンが、基台上に配置された係合状態にある大電流用コネクタの固定用穴に挿入可能であることを特徴とする。
【０００８】
また、請求項３に係る発明は、請求項１または請求項２に記載の大電流用コネクタの挿抜治具に於て、前記固定ピンと可動ピンが、両大電流用コネクタに夫々形成された複数の固定用穴に対応して２本宛装着されていることを特徴とし、請求項４に係る発明は、請求項１または請求項２に記載の大電流用コネクタの挿抜治具に於て、前記天板上に、抜き／差しする大電流用コネクタを案内するガイド部材を設けたことを特徴とする。
【発明の効果】
【０００９】
請求項１に係る発明に係る挿抜治具を用いることで、従来の如く係合状態にある大電流用コネクタを直接引き抜く場合に比し、また、従来の如く大電流用コネクタを直接係合させる場合に比し、非常に小さな力で大電流用コネクタを挿抜させることが可能となった。
【００１０】
而も、従来の大電流用コネクタに特別の構成を必要とせず、挿抜治具自体も低コストで製造できるため、トータルコストが安価である利点を有する。
【００１１】
そして、請求項２に係る発明によれば、操作レバーがバネでストッパに常時付勢されて、係合状態にある大電流用コネクタを天板上に配置して固定ピンを一方の大電流用コネクタの固定用穴に挿入したとき、位置決めされた操作レバー側の可動ピンが他方の大電流用コネクタの固定用穴に簡単に挿入できるため、作業がスムーズに行える利点を有する。
【００１２】
また、請求項３に係る挿抜治具によれば、大電流用コネクタの抜き／差しの際に、これらがずれないようにガイド部材が位置決め保持し、請求項４に係る発明によれば、大電流用コネクタの抜き／差しの際に、これらがずれないように２本の固定ピンと２本の可動ピンがが位置決め保持するため、手でこれらを保持する必要がなくなり、作業性が更に向上する利点を有する。
【発明を実施するための最良の形態】
【００１３】
以下、本発明の実施形態を図面に基づいて詳細に説明する。
【００１４】
図１乃至図８は請求項１及び請求項２に係る挿抜治具の一実施形態を示し、図１乃至図５に於て、１は四方に側板３が立設された平面視矩形状の台板、５は各側板３の上部に形成された取付フランジ７に固着された天板で、該台板１と天板５と後述する内板１５とによって本実施形態に係る挿抜治具９の中空で扁平なボックス状の基台１１が形成され、基台１１（台板１）の裏面側の四隅にゴムで形成された脚部１３がネジ止めされている。
【００１５】
そして、図示するように前記台板１上の中央に、該台板１の底部との間に僅かな間隙を空けて内板１５が取り付き、該内板１５に先ず、前記天板５を挿通して１本の固定ピン１７が固着されている。
【００１６】
図６及び図７に示すように挿抜治具９を使用するに当たり、天板５上に一対の抜き／差しする大電流用コネクタ１９，２１が配置されるが、従来と同様、大電流用コネクタ１９のカバー２３と大電流用コネクタ２１のカバー２５の各中央には、夫々、２個の固定用穴２７，２９，３１，３３が同軸上に設けられている。そして、図６の如く係合状態にある大電流用コネクタ１９，２１が天板５上に配置されたとき、前記固定ピン１７は、一方のメス型の大電流用コネクタ１９の内側の固定用穴２９に挿入されるようになっている。
【００１７】
また、図中、３５は断面Ｌ字状に形成されたレバーアーム３７と、該レバーアーム３７の先端に取り付く球状のニギリ玉３９とで構成された操作レバーで、図３に示すようにレバーアーム３７の後端側が、前記内板１５に抑え板４１とスペーサ４３を介して回動自在にネジ止めされている。
【００１８】
そして、図２，図３及び図６に示すようにレバーアーム３７は、天板５上に配置される大電流用コネクタ１９，２１と直交するように前記内板１５に沿って延設されて、一つの側板３に形成されたスリット４５を挿通した後、該側板３に沿って上方へＬ字状に折曲しており、斯かる構成によって操作レバー３５は、レバーアーム３７の後端側を支点として、天板５上に配置された大電流用コネクタ１９，２１の抜き／差し方向（図１中、矢印Ａ，Ｂ方向）へ回動操作可能となっている。そして、図１及び図２に示すように、前記レバーアーム３７と内板１５上に固着されたストッパ４７との間にバネ４９が架設されており、該バネ４９によって操作レバー３５はストッパ４７に常時付勢されている。
【００１９】
更に、前記レバーアーム３７上に１本の可動ピン５１が固着されており、図１及び図２の如くレバー３５がバネ４９でストッパ４７に付勢された状態にあり、そして、既述したように図６の如く係合状態にある大電流用コネクタ１９，２１が天板５上に配置されて、前記固定ピン１７がメス型の大電流用コネクタ１９の内側の固定用穴２９に挿入されるとき、前記可動ピン５１はオス型の大電流用コネクタ２１の内側の固定用穴３１に挿入されるようになっている。
【００２０】
そして、前記天板５上には、操作レバー３５の回動操作に伴う可動ピン５１の軌跡に応じた切欠き５３が設けられている。
【００２１】
本実施形態に係る挿抜治具９はこのように構成されており、次に該挿抜治具９の使用方法を説明する。
【００２２】
図１及び図２に示すように挿抜治具９の未使用時に、前記操作レバー３５はバネ４９でストッパ４７に付勢された状態にある。
【００２３】
そして、図６及び図７に示すように係合状態にある大電流用コネクタ１９，２１を天板５上に配置させ乍ら、前記固定ピン１７をメス型の大電流用コネクタ１９の内側の固定用穴２９に挿入させると共に、前記可動ピン５１をオス型の大電流用コネクタ２１の内側の固定用穴３１に挿入させる。
【００２４】
この後、操作レバー３５を抜き方向（図６中、矢印Ａ方向）へ回動操作すると、図８に示の如く係合状態にある大電流用コネクタ１９，２１の係合が解除されるが、操作レバー３５による大電流用コネクタ１９，２１の係合解除はトルクを利用しているため、従来の如く大電流用コネクタ１９，２１を直接引き抜く場合より非常に小さな力で引き抜くことができる。
【００２５】
一方、非係合状態にある一対の大電流用コネクタ１９，２１を係合させる場合は、図８の如く天板５上に一方の大電流用コネクタ１９を配置し乍ら、その固定用穴２９に固定ピン１７を挿入する。
【００２６】
次いで、操作レバー３５を矢印Ａ方向へ目一杯回動操作して、天板５から突出する可動ピン５１を固定用穴３１に挿入し乍ら、天板５上に他方の大電流用コネクタ２１を配置する。そして、大電流用コネクタ１９，２１がずれないように手で保持し乍ら、操作レバー３５を、図８の状態から差し方向（図中、矢印Ｂ方向）へ回動操作すると、両大電流用コネクタ１９，２１を係合させることができる。
【００２７】
而して、この操作レバー３５による大電流用コネクタ１９，２１の係合作業もトルクを利用し、また、バネ４９の復元力も作用するため、従来の如く大電流用コネクタ１９，２１を直接係合させる場合より非常に小さな力で係合させることができる。
【００２８】
このように本実施形態に係る挿抜治具９を用いることで、従来の如く係合状態にある大電流用コネクタ１９，２１を直接引き抜く場合に比し、また、従来の如く大電流用コネクタ１９，２１を直接係合させる場合に比し、非常に小さな力で大電流用コネクタ１９，２１を挿抜させることが可能となった。
【００２９】
そして、操作レバー３５がバネ４９でストッパ４７に常時付勢されて、係合状態にある大電流用コネクタ１９，２１を天板５上に配置して固定ピン１７を一方の大電流用コネクタ１９の内側の固定用穴２９に挿入したとき、位置決めされた操作レバー３５側の可動ピン５１が他方の大電流用コネクタ２１の内側の固定用穴３１に簡単に挿入できる構成としたため、作業がスムーズに行える利点を有する。
【００３０】
而も、従来の大電流用コネクタ１９，２１に特別の構成を必要とせず、挿抜治具９自体も低コストで製造できるため、トータルコストが安価である利点を有する。
【００３１】
また、例えば固定用穴間の寸法の異なる一対の仕様の異なる大電流用コネクタを引き抜く場合にも、操作レバー３５を操作して可動ピン５１の位置を調整することで対応が可能である。
【００３２】
図９乃至図１２は請求項１，請求項２及び請求項４に係る挿抜治具の一実施形態を示し、本実施形態に係る挿抜治具５５は、前記挿抜治具９の構成に加え、天板５上に、抜き／差しする大電流用コネクタを案内する一対のガイドレール（ガイド部材）５７，５９を対向配置したもので、ガイドレール５７，５９の幅は、大電流用コネクタ１９，２１の幅寸法よりも僅かに広く設定されている。
【００３３】
尚、その他の構成は前記挿抜治具９と同様であるため、同一のものには同一符号を付してそれらの説明は省略する。
【００３４】
本実施形態はこのように構成されており、前記挿抜治具９と同様、所期の目的を達成することが可能で、従来に比し非常に小さな力で大電流用コネクタ１９，２１を挿抜させることが可能であることは勿論、天板５上に抜き／差しする大電流用コネクタを案内する一対のガイドレール５７，５９を対向配置したため、抜き／差しの際に、大電流用コネクタ１９，２１がずれないようにこれらを手で保持する必要がなくなり、作業性が更に向上する利点を有する。
【００３５】
尚、天板５上に配置するガイド部材は前記ガイドレール５７，５９に限定されず、その他のあらゆるガイド部材が装着可能である。
【００３６】
図１３及び図１４は請求項１乃至請求項３の一実施形態に係り、本実施形態に係る挿抜治具６１は、天板５上に設ける前記ガイド部材に代えて案出されたもので、図中、１５-1は前記内板１５に比し長手方向へ長尺に形成されて台板１上に固着された内板で、該内板１５-1に前記固定ピン１７に隣接して２本目の固定ピン６３が固着されており、図６と同様、係合状態にある大電流用コネクタ１９，２１が天板５上に配置されたとき、前記固定ピン６３は、一方のメス型の大電流用コネクタ１９の外側の固定用穴２７に挿入されるようになっている。これによって、大電流用コネクタ１９，２１の抜き／差しの際に、大電流用コネクタ１９がずれることなく、２本の固定ピン１７，６３によって位置決め保持される。
【００３７】
また、図中、３７-1は前記レバーアーム３７と同一構造を以って内板１５-1に回動可能に取り付けられたレバーアームで、その先端にニギリ玉３９が取り付いて操作レバー３５-1が形成されており、前記操作レバー３５と同様、操作レバー３５-1はレバーアーム３７-1の後端側を支点として、天板５上に配置された大電流用コネクタ１９，２１の抜き／差し方向（図１３中、矢印Ａ，Ｂ方向）へ回動操作可能となっている。そして、前記挿抜治具９と同様、レバーアーム３７-1と内板１５-1上に固着されたストッパ４７との間にバネ４９が架設されており、該バネ４９によって操作レバー３５-1はストッパ４７に常時付勢されている。
【００３８】
更に、レバーアーム３７-1上に前記可動ピン５１が固着されているが、レバーアーム３７-1の略中央に枝片６５が反ストッパ４７方向へ突設されており、前記可動ピン５１に隣接して該枝片６５に２本目の可動ピン６７が固着されている。そして、前記挿抜治具９と同様、係合状態にある大電流用コネクタ１９，２１が天板５上に配置されて、上述の如く固定ピン１７，６３が一方の大電流用コネクタ１９の固定用穴２７，２９に挿入されるとき、前記可動ピン５１は他方の大電流用コネクタ２１の内側の固定用穴３１に挿入され、前記可動ピン６７は該大電流用コネクタ２１の外側の固定用穴３３に挿入されるようになっている。
【００３９】
そして、前記天板５上には、操作レバー３５-1の回動操作に伴う可動ピン５１，６７の軌跡に応じて、前記切欠き５３よりも長尺で幅広な切欠き５３-1が設けられている。
【００４０】
本実施形態に係る挿抜治具６１はこのように構成されているから、図６と同様、先ず、係合状態にある大電流用コネクタ１９，２１を天板５上に配置させ乍ら、前記固定ピン１７，６３をメス型の大電流用コネクタ１９の固定用穴２７，２９に挿入させると共に、前記可動ピン５１，６７をオス型の大電流用コネクタ２１の固定用穴３１，３３に挿入させる。
【００４１】
この後、操作レバー３５-1を抜き方向（図１３中、矢印Ａ方向）へ回動操作すれば、前記挿抜治具９と同様、係合状態にある大電流用コネクタ１９，２１の係合が解除される。そして、大電流用コネクタ１９の前後の固定用穴２７，２９に２本の固定ピン１７，６３が挿入し、また、大電流用コネクタ２１の前後の固定用穴３１，３３に２本の可動ピン５１，６７が挿入しているため、手で大電流用コネクタ１９，２１を保持しなくても、これらはずれることなく、２本の固定ピン１７，６３と可動ピン５１，６７とで位置決め保持される。
【００４２】
そして、本実施形態も、操作レバー３５-1による大電流用コネクタ１９，２１の係合解除はトルクを利用しているため、従来の如く大電流用コネクタ１９，２１を直接引き抜く場合に比し非常に小さな力で引き抜くことができる。
【００４３】
一方、非係合状態にある一対の大電流用コネクタ１９，２１を係合させる場合は、図８と同様、天板５上に一方の大電流用コネクタ１９を配置し乍ら、その固定用穴２７，２９に固定ピン１７，６３を挿入する。
【００４４】
次いで、操作レバー３５-1を矢印Ａ方向へ目一杯回動操作して、天板５から突出する可動ピン５１，６７を固定用穴３１，３３に挿入し乍ら、天板５上に他方の大電流用コネクタ２１を配置する。そして、斯かる状態で操作レバー３５を差し方向（図１３中、矢印Ｂ方向）へ回動操作すると、両大電流用コネクタ１９，２１を係合させることができる。
【００４５】
而して、この操作レバー３５による大電流用コネクタ１９，２１の係合作業もトルクを利用し、また、バネ４９の復元力も作用するため、従来の如く大電流用コネクタ１９，２１を直接係合させる場合より非常に小さな力で係合させることができる。
【００４６】
そして、大電流用コネクタ１９の前後の固定用穴２７，２９に２本の固定ピン１７，６３が挿入し、また、大電流用コネクタ２１の前後の固定用穴３１，３３に２本の可動ピン５１，６７が挿入しているため、手で大電流用コネクタ１９，２１を保持しなくても、これらはずれることなく、２本の固定ピン１７，６３と可動ピン５１，６７とで位置決め保持される。
【００４７】
このように本実施形態に係る挿抜治具６１によっても、図１の挿抜治具９と同様、所期の目的を達成することが可能で、従来に比し非常に小さな力で大電流用コネクタ１９，２１を挿抜させることが可能であることは勿論、前記ガイドレール５７，５９に代え、２本の固定ピン１７，６３と２本の可動ピン５１，６７を用いることで、大電流用コネクタ１９，２１の抜き／差しの際にこれらの位置決めが可能となり、大電流用コネクタ１９，２１を手で保持する必要がなくなって作業性が向上する利点を有する。
【図面の簡単な説明】
【００４８】
【図１】請求項１及び請求項２の一実施形態に係る挿抜治具の平面図である。
【図２】天板を取り除いた挿抜治具の平面図である。
【図３】挿抜治具の断面図である。
【図４】挿抜治具の側面図である。
【図５】挿抜治具の断面図である。
【図６】挿抜治具の使用状態を示す平面図である。
【図７】挿抜治具の使用状態を示す側面図である。
【図８】挿抜治具の使用状態を示す平面図である。
【図９】請求項１，請求項２及び請求項４の一実施形態に係る挿抜治具の使用状態を示す平面図である。
【図１０】挿抜治具の使用状態を示す側面図である。
【図１１】挿抜治具の断面図である。
【図１２】挿抜治具の使用状態を示す平面図である。
【図１３】請求項１乃至請求項３の一実施形態に係る挿抜治具の平面図である。
【図１４】挿抜治具の断面図である。
【符号の説明】
【００４９】
１  台板
５  天板
９，５５，６１  挿抜治具
１１  基台
１５，１５-1  内板
１７，６３  固定ピン
１９，２１  大電流用コネクタ
２７，２９，３１，３３  固定用穴
３５，３５-1  操作レバー
３７，３７-1  レバーアーム
３９  ニギリ玉
４７  ストッパ
４９  バネ
５１，６７  可動ピン
５３，５３-1  切欠き
５７，５９  ガイドレール
６５  枝片
【図１】
2010108812.tif 000003
【図２】
2010108812.tif 000004
【図３】
2010108812.tif 000005
【図４】
2010108812.tif 000006
【図５】
2010108812.tif 000007
【図６】
2010108812.tif 000008
【図７】
2010108812.tif 000009
【図８】
2010108812.tif 000010
【図９】
2010108812.tif 000011
【図１０】
2010108812.tif 000012
【図１１】
2010108812.tif 000013
【図１２】
2010108812.tif 000014
【図１３】
2010108812.tif 000015
【図１４】
2010108812.tif 000016